(57)【要約】【課題】情報管理サーバや携帯端末の情報を、他方に対し、リアルタイムで転送可能な情報処理装置や通信システムを提供する。【解決手段】本発明の通信システムは、情報管理サーバと、ネットワークを介して情報管理サーバと接続可能な情報処理装置と、携帯端末とを有する。情報処理装置は、情報管理サーバとの情報授受を行う対サーバ通信手段と、携帯端末との近距離無線通信を実行する対携帯端末通信手段と、情報管理サーバから得た第１の所定情報をその取得時に携帯端末に送信させ、携帯端末から受信した第２の所定情報をその受信時に情報管理サーバに送信させる情報転送手段とを有する。携帯端末は、記憶手段と、情報処理装置との近距離無線通信を実行する対情報処理装置通信手段と、受信した第１の所定情報を記憶手段に記憶させ、及び又は、記憶手段に記憶されている第２の所定情報を送信させる転送制御手段とを有する。【選択図】  図１
2004153389.tif 000002
【特許請求の範囲】
【請求項１】
情報を管理している情報管理サーバにネットワークを介して接続可能な情報処理装置において、
上記情報管理サーバとの情報授受を行う対サーバ通信手段と、
他の情報処理装置との間で近距離無線通信を実行する近距離無線通信手段と、
上記対サーバ通信手段が上記情報管理サーバから得た第１の所定情報をその取得時に上記近距離無線通信手段から送信させる下り方向情報転送手段、及び、上記近距離無線通信手段が受信した第２の所定情報をその受信時に上記情報管理サーバに送信させる上り方向情報転送手段の少なくとも一方と
を有することを特徴とする情報処理装置。
【請求項２】
上記下り方向情報転送手段及び又は上記上り方向情報転送手段は、上記対サーバ通信手段を介して上記情報管理サーバから、上記近距離無線通信手段による情報転送を実行させるための情報転送用処理手順情報を取得することを特徴とする請求項１に記載の情報処理装置。
【請求項３】
上記近距離無線通信手段が実行する近距離無線通信が赤外線通信であることを特徴とする請求項１又は２に記載の情報処理装置。
【請求項４】
情報を管理している情報管理サーバと、ネットワークを介して上記情報管理サーバと接続可能な情報処理装置と、携帯端末とを有する通信システムであって、
上記情報処理装置が、
上記情報管理サーバとの情報授受を行う対サーバ通信手段と、
上記携帯端末との近距離無線通信を実行する対携帯端末通信手段と、
上記対サーバ通信手段が上記情報管理サーバから得た第１の所定情報をその取得時に上記対携帯端末通信手段から上記携帯端末に送信させる下り方向情報転送手段、及び、上記対携帯端末通信手段が上記携帯端末から受信した第２の所定情報をその受信時に上記情報管理サーバに送信させる上り方向情報転送手段の少なくとも一方とを有し、
上記携帯端末が、
記憶手段と、
上記情報処理装置との近距離無線通信を実行する対情報処理装置通信手段と、
上記対情報処理装置通信手段が受信した上記第１の所定情報を上記記憶手段に記憶させる受信制御手段、及び、上記記憶手段に記憶されている上記第２の所定情報を上記対情報処理装置通信手段から送信させる送信制御手段の少なくとも一方とを有する
ことを特徴とする通信システム。
【請求項５】
上記情報処理装置の上記下り方向情報転送手段及び又は上記上り方向情報転送手段は、上記対サーバ通信手段を介して上記情報管理サーバから、上記対携帯端末通信手段による近距離無線通信での転送を実行させるための情報転送用処理手順情報を取得することを特徴とする請求項４に記載の通信システム。
【請求項６】
上記対携帯端末通信手段及び上記対情報処理装置通信手段が実行する近距離無線通信が赤外線通信であることを特徴とする請求項４又は５に記載の通信システム。
【発明の詳細な説明】
【０００１】
【発明の属する技術分野】
本発明は情報処理装置及び通信システムに関し、例えば、Ｗｅｂサーバ側から提供される情報を情報処理装置を介して携帯端末に転送したり、携帯端末の情報を情報処理装置を介してＷｅｂサーバに転送したりし得るようにしたものである。
【０００２】
【従来の技術】
インターネットに、パソコンなどの情報処理装置からアクセスすることが一般的になってきた。また、携帯電話やＰＤＡなどの携帯端末から、インターネットにアクセスすることもかなり普及するようになってきた。また、今日においては、携帯端末を、個人認証用の情報などの記憶装置として用いることも、種々のサービスシステムで提案又は実現されている。
【０００３】
携帯端末に、Ｗｅｂページを介して情報を提供する場合には、携帯端末用のＷｅｂページが利用されている。逆に、携帯端末の情報を、Ｗｅｂサーバが吸い上げる場合は、携帯端末用のＷｅｂページが利用されたり、携帯電話回線を介した通信が利用されたりしている。
【０００４】
しかしながら、携帯端末用のＷｅｂページは、携帯端末の表示部の制約や、その記憶部の記憶容量の制約から、情報処理装置用のＷｅｂページに比較して情報量が少ない。そのため、Ｗｅｂサーバが、携帯端末に情報の全体を提供したり、携帯端末から必要な情報の全てを吸い上げたりするためには、複数回の通信（複数のＷｅｂページの授受）が必要となっており、その回数は、情報処理装置用のＷｅｂページによる情報転送より多くなる。
【０００５】
そのため、利用者が、情報処理装置を用いて、情報処理装置用のＷｅｂページをアクセスして必要な情報を得、インターネットのアクセス終了時に、入力操作によって、携帯端末に情報を入力することもなされている。また、携帯端末に記憶されている情報のうち、必要なものを、情報処理装置用のＷｅｂページが表示されている状態で、情報処理装置に入力し直し、Ｗｅｂサーバに必要な情報を転送するようなことも生じている。
【０００６】
しかしながら、利用者が有する携帯端末や情報処理装置に情報が存在しながら、他方の情報処理装置や携帯端末に情報を入力し直すことには無駄が多い。
【０００７】
ところで、情報処理装置及び携帯端末間で情報を授受する方法として各種の方法があり、その方法を利用することにより、情報を入力し直すことをなくすこともできる。
【０００８】
例えば、インターネットを介して情報処理装置及び携帯端末間を接続させて情報を転送させる方法や、情報処理装置（又は携帯端末）の情報をカード状などの記録媒体に記憶させた後、携帯端末（又は情報処理装置）にその記録媒体を装着して情報を授受させる方法を適用することができる。また例えば、一方向の授受であれば、情報処理装置がＬＥＤなどの発光素子を情報に応じて点滅させ、携帯端末のＣＣＤカメラでその点滅を捉えて情報を受信する方法（非特許文献１参照）を適用することができる。
【０００９】
【非特許文献１】
「デジタルカメラと発光ＬＥＤによる通信」、日経エレクトロニクス、日経ＢＰ社発行、２００２年４月８日、ｐ３５
【００１０】
【発明が解決しようとする課題】
しかしながら、情報処理装置及び携帯端末間の情報転送にいずれの方法を適用したとしても、インターネットへのアクセスを終了した後、又は、インターネットへのアクセスを開始する前の情報転送である。
【００１１】
すなわち、従来においては、Ｗｅｂサーバや携帯端末の情報を、情報処理装置用のＷｅｂページを介して他方の装置に与えようとしても、リアルタイムで実行させることはできなかった。
【００１２】
そのため、情報管理サーバ（インターネットであればＷｅｂサーバが該当する）や携帯端末の情報を、他方に対し、リアルタイムで転送可能な情報処理装置や、通信システムが求められている。
【００１３】
【課題を解決するための手段】
かかる課題を解決するため、第１の本発明は、情報を管理している情報管理サーバにネットワークを介して接続可能な情報処理装置において、（１）上記情報管理サーバとの情報授受を行う対サーバ通信手段と、（２）他の情報処理装置との間で近距離無線通信を実行する近距離無線通信手段と、（３）上記対サーバ通信手段が上記情報管理サーバから得た第１の所定情報をその取得時に上記近距離無線通信手段から送信させる下り方向情報転送手段、及び、上記近距離無線通信手段が受信した第２の所定情報をその受信時に上記情報管理サーバに送信させる上り方向情報転送手段の少なくとも一方とを有することを特徴とする。
【００１４】
ここで、上記下り方向情報転送手段及び又は上記上り方向情報転送手段は、上記対サーバ通信手段を介して上記情報管理サーバから、上記近距離無線通信手段による情報転送を実行させるための情報転送用処理手順情報を取得することが好ましい。
【００１５】
また、上記近距離無線通信手段が実行する近距離無線通信が赤外線通信であることが好ましい。
【００１６】
また、第２の本発明は、情報を管理している情報管理サーバと、ネットワークを介して上記情報管理サーバと接続可能な情報処理装置と、携帯端末とを有する通信システムであって、（１）上記情報処理装置が、（１−１）上記情報管理サーバとの情報授受を行う対サーバ通信手段と、（１−２）上記携帯端末との近距離無線通信を実行する対携帯端末通信手段と、（１−３）上記対サーバ通信手段が上記情報管理サーバから得た第１の所定情報をその取得時に上記対携帯端末通信手段から上記携帯端末に送信させる下り方向情報転送手段、及び、上記対携帯端末通信手段が上記携帯端末から受信した第２の所定情報をその受信時に上記情報管理サーバに送信させる上り方向情報転送手段の少なくとも一方とを有し、（２）上記携帯端末が、（２−１）記憶手段と、（２−２）上記情報処理装置との近距離無線通信を実行する対情報処理装置通信手段と、（２−３）上記対情報処理装置通信手段が受信した上記第１の所定情報を上記記憶手段に記憶させる受信制御手段、及び、上記記憶手段に記憶されている上記第２の所定情報を上記対情報処理装置通信手段から送信させる送信制御手段の少なくとも一方とを有することを特徴とする。
【００１７】
ここで、上記情報処理装置の上記下り方向情報転送手段及び又は上記上り方向情報転送手段は、上記対サーバ通信手段を介して上記情報管理サーバから、上記対携帯端末通信手段による近距離無線通信での転送を実行させるための情報転送用処理手順情報を取得することが好ましい。
【００１８】
また、上記対携帯端末通信手段及び上記対情報処理装置通信手段が実行する近距離無線通信が赤外線通信であることが好ましい。
【００１９】
【発明の実施の形態】
（Ａ）実施形態
以下、本発明による情報処理装置及び通信システムの一実施形態を図面を参照しながら説明する。
【００２０】
この実施形態の通信システム１は、図１に示すように、Ｗｅｂサーバ２、情報処理装置としてのパソコン３及び携帯端末４を構成要素としており、Ｗｅｂサーバ２及びパソコン３は、インターネット５を介して接続され得るものである。
【００２１】
Ｗｅｂサーバ２は、パソコン３に対して、Ｗｅｂページを提供可能なものであり、その内部構成は、従来のものと同様である。
【００２２】
ここで、この実施形態の場合、提供する一部のＷｅｂページは、パソコン３及び携帯端末４間の後述する赤外線データ伝送を実行させるためのデータを直接又は添付ファイルとして有している。
【００２３】
この実施形態のパソコン３は、インターネット５を介し、該当するＷｅｂサーバ２をアクセスする機能を有すると共に、携帯端末４との間で、赤外線データ伝送を行う機能とを有するものである。
【００２４】
図２は、パソコン３の概略機能ブロック図である。パソコン３は、制御部１１、メモリ部１２、入力部１３及び表示部１４などの一般的構成に加え、赤外線通信部１５を有する。なお、メモリ部１２には、Ｗｅｂサーバ２をアクセスするためのブラウザ（閲覧入力用のアプリケーション）を格納されている。
【００２５】
赤外線通信部１５は、通信制御部２０、変復調・デジタル処理部２１、発光駆動部２２、赤外線発光素子２３、赤外線受光素子２４及び受光信号処理部２５を有する。
【００２６】
通信制御部２０は、パソコン３全体の制御を司る制御部１１の制御下で、赤外線データ通信の通信制御を実行するものである。
【００２７】
変復調・デジタル処理部２１は、携帯端末４との間で授受するデータ本体を、赤外線通信に適するようにデータ処理したりデータ変調したり、逆にデータ復調したりデータ逆処理したりするものである。変復調・デジタル処理部２１によって、適宜、データフレームの組立や分解や、誤り訂正符号の付加や誤り検出、訂正なども実行される。
【００２８】
発光駆動部２２は、変復調部２１から与えられた変調データに応じ、赤外線発光素子２３を、オン、オフ駆動するものである。発光駆動部２２には、適宜、増幅器などが含まれる。
【００２９】
赤外線発光素子２３は、発光駆動部２２の駆動により、赤外光を出射又は出射停止を行うものである。ここで、赤外線発光素子２３が出射する赤外光の波長帯域は、携帯端末４との赤外線データ通信で定められているものである。
【００３０】
赤外線受光素子２４は、到来した赤外光を電気信号に変換するものである。赤外線受光素子２４は、適宜、その表面に波長フィルタを有し、所定の波長帯域の赤外光を電気信号に変換する。
【００３１】
受光信号処理部２５は、赤外線受光素子２４からの電気信号を増幅したり、パルス信号に波形整形したりするものであり、処理後の受信信号を変復調・デジタル処理部２１に与えるものである。
【００３２】
図３は、携帯端末４の概略機能ブロック図である。携帯端末４は、デジタル方式の携帯端末であり、メインＣＰＵ３０、ＲＯＭ３１、ＲＡＭ３２、ＥＥＰＲＯＭ３３、携帯回線用デジタル処理部３４、無線部３５、送受アンテナ３６、テンキー部３７及び表示部３８などの携帯電話回線を介した通信の実行し得る構成を有する。なお、図３では、携帯電話回線を介してデータ通信を行う構成だけを記載しているが、音声通信に対応する携帯端末４であれば、マイクロホンやスピーカや音声コーデックなども設けられている。
【００３３】
携帯端末４も、上述した構成に加え、赤外線通信部３９を有する。携帯端末４の赤外線通信部３９も、対向するパソコン３の赤外線通信部１５と同様に、通信制御部４０、変復調・デジタル処理部４１、発光駆動部４２、赤外線発光素子４３、赤外線受光素子４４及び受光信号処理部４５を有する。
【００３４】
携帯端末４における通信制御部４０、変復調・デジタル処理部４１、発光駆動部４２、赤外線発光素子４３、赤外線受光素子４４及び受光信号処理部４５も、その機能は、パソコン３の対応要素と同様であるので、その説明は省略する。
【００３５】
パソコン３の赤外線通信部１５及び携帯端末４の赤外線通信部３９間の赤外線通信は、例えば、伝送速度が３９．４ｋｂｐｓのカール伝送方法に従う。
【００３６】
なお、パソコン３の赤外線通信部１５は、図４に示すように、パソコン本体３Ａではなく、表示部１４を構成するディスプレイの枠体に設けられていても良い。また、赤外線通信部１５の全体ではなく、発光駆動部２２、赤外線発光素子２３、赤外線受光素子２４及び受光信号処理部２５など、一部要素がディスプレイの枠体に設けられていても良い。
【００３７】
次に、実施形態の通信システム１の動作、Ｗｅｂサーバ２の情報を携帯端末４に与える際の動作を、図５のシーケンス図を参照しながら説明する。
【００３８】
利用者が、パソコン３に対してＵＲＬを入力すると（Ｓ１）、Ｗｅｂサーバ２がＵＲＬで特定されたＷｅｂページをパソコン３に送信し（Ｓ２）、そのＷｅｂページがパソコン３上に表示される（Ｓ３）。
【００３９】
ここで、アクセスされたＷｅｂページが赤外線通信対応のＷｅｂページとする。このようなＷｅｂページの場合、赤外線通信用プログラムが添付ファイルとして、パソコン３へのＷｅｂページの送信時（Ｓ２）に一緒にダウンロードされる。この赤外線通信用プログラムは、独立したファイルとしてパソコン３が記憶しても良く、また、ブラウザにプラグインするようにしても良い。
【００４０】
なお、赤外線通信用プログラムを、Ｗｅｂページを開く前に、別途転送させておくことを利用者に求めるようにしても良い。
【００４１】
赤外線通信対応のＷｅｂページは、携帯端末４へ所定の情報を転送することを求めるアイコンが含まれている。
【００４２】
利用者が、このようなアイコンをクリックし、所定の情報をＷｅｂサーバ２に要求すると（Ｓ４）、Ｗｅｂサーバ２がその所定の情報をパソコン３に送信し（Ｓ５）、パソコン３がそれを受領する（Ｓ６）。所定の情報を受領したときには、パソコン３は、赤外線通信用プログラムに従い、電源が投入された携帯端末４の赤外線通信部３９を、自己の赤外線通信部１５に所定距離以内に近付けることを求めるメッセージを表示させると共に、携帯端末４への赤外線通信を開始させるための「送信開始」アイコンを表示させる。なお、この際、パソコン３上に、受領した所定の情報も表示させるようにしても良い。
【００４３】
利用者により「送信開始」アイコンがクリックされると、パソコン３は、受領した所定の情報を、自己の赤外線通信部１５に引き渡す（Ｓ７）。
【００４４】
パソコン３の赤外線通信部１５はまず、携帯端末４の赤外線通信部３９に、赤外線データ通信要求を送信し（Ｓ８）、このとき、携帯端末４の赤外線通信部３９はこれを受領して赤外線データ通信のための前準備処理を行い（例えば、自己の赤外線通信アプリケーションの立ち上げなど）、準備完了をパソコン３に返信する（Ｓ９）。
【００４５】
これにより、パソコン３の赤外線通信部１５は、Ｗｅｂサーバ２から受領した所定の情報を、携帯端末４に対して赤外線送信し（Ｓ１０）、携帯端末４の赤外線通信部３９は、所定の情報を受信してＥＥＰＲＯＭ３３などに記憶させる（Ｓ１１）。
【００４６】
赤外線通信に供するデータ系列の最後には、データの終了を表す制御コード（例えばフレームシーケンス）も含まれており、携帯端末４の赤外線通信部３９が、受信の完了を認識すると、データ受信完了信号を、パソコン３の赤外線通信部１５に送信し（Ｓ１２）、パソコン３はデータ通信完了を表示すると共にデータ受信完了信号を受信したことを携帯端末４の赤外線通信部３９に返信し（Ｓ１３）、携帯端末４もデータ通信完了を表示する（Ｓ１４）。
【００４７】
データ通信完了の表示時には、パソコン３も携帯端末４も、赤外線通信のためのプログラムなどを終了させる。
【００４８】
以上のような処理により、Ｗｅｂサーバ２からパソコン３経由で携帯端末４に与える所定の情報は任意であるが、例を挙げれば、以下の通りである。
【００４９】
電話番号、ｅメールアドレス、Ｗｅｂページアドレス（Ｗｅｂサイトアドレス）などの携帯端末４から、携帯電話回線を介してアクセス可能なものであっても良い。例えば、商品販売会社が情報処理装置用のＷｅｂページで、最新の商品案内を携帯端末４から取り出させることを通知すると共に、そのアドレス情報を、携帯端末４にロードできる旨を表示し、ロード用のアイコンがクリックされた際に、上述したような動作により、アドレス情報を携帯端末４に与えて記憶させるようにしても良い。
【００５０】
また、営業マンや保守員の巡回経路を規定する日程情報を、営業マンや保守員が所属する会社の情報処理装置用のＷｅｂページを用い、パソコン３経由で、営業マンや保守員が携帯する携帯端末４に与えるようにしても良い。
【００５１】
次に、実施形態の通信システム１の動作、携帯端末４の情報をＷｅｂサーバ２に与える際の動作を、図６のシーケンス図を参照しながら説明する。
【００５２】
利用者が、パソコン３に対してＵＲＬを入力すると（Ｓ２１）、Ｗｅｂサーバ２がＵＲＬで特定されたＷｅｂページをパソコン３に送信し（Ｓ２２）、そのＷｅｂページがパソコン３上に表示される（Ｓ２３）。
【００５３】
ここでも、アクセスされたＷｅｂページが赤外線通信対応のＷｅｂページであり、赤外線通信用プログラムが添付ファイルとして、パソコン３へのＷｅｂページの送信時（Ｓ２２）に一緒にダウンロードされるとする。
【００５４】
ここでの赤外線通信対応のＷｅｂページは、携帯端末４の所定の情報を取り出してＷｅｂサーバ２に転送することを起動するアイコンが含まれている。また、電源が投入された携帯端末４の赤外線通信部３９を、自己の赤外線通信部１５に所定距離以内に近付けることを求めるメッセージも表示される。
【００５５】
利用者が、上述したアイコンをクリックすると（Ｓ２４）、パソコン３の赤外線通信部１５は、携帯端末４の赤外線通信部３９に、赤外線データ通信要求を送信し（Ｓ２５）、携帯端末４の赤外線通信部３９はこれを受領して赤外線データ通信のための前準備処理を行い（例えば、自己の赤外線通信アプリケーションの立ち上げなど）、準備完了をパソコン３に返信する（Ｓ２６）。
【００５６】
次いで、パソコン３の赤外線通信部１５は、所定の情報の送信を携帯端末４に求め（Ｓ２７）、携帯端末４の赤外線通信部３９は、ＥＥＰＲＯＭ３３などから所定の情報を取り出してパソコン３に送信する（Ｓ２８）。
【００５７】
パソコン３は、携帯端末４から所定の情報を受信すると、Ｗｅｂサーバ２に転送し（Ｓ２９）、Ｗｅｂサーバ２は、所定の情報を全て受信すると（Ｓ３０）、受信完了信号をパソコン３に返信する（Ｓ３１）。このとき、パソコン３は、転送完了を表示すると共に（Ｓ３２）、赤外線通信部１５によって、受信完了信号を携帯端末４の赤外線通信部３９に返送する（Ｓ３３）。携帯端末４も、転送完了を表示する（Ｓ３２）。
【００５８】
転送完了の表示時には、パソコン３も携帯端末４も、赤外線通信のためのプログラムなどを終了させる。
【００５９】
上記実施形態によれば、Ｗｅｂサーバ２が、情報処理装置用のＷｅｂページを用いて、利用者の必要に、直ちに、携帯端末４に所定の情報を与えることができる。また、Ｗｅｂサーバ２が、情報処理装置用のＷｅｂページを用いて、言い換えると、インターネットのアクセス状態を終了させることなく、携帯端末４に存在する所定の情報を得ることができる。
【００６０】
（Ｂ）他の実施形態
上記実施形態においては、利用者によるアイコンのクリックを待って、パソコン３経由で、Ｗｅｂサーバ２及び携帯端末４間で情報転送を行うものを示したが、Ｗｅｂページに自動起動用の処理ルーチンを付加しておき、パソコン３経由でのＷｅｂサーバ２及び携帯端末４間で情報転送を自動的に起動するようにしても良い。
【００６１】
また、上記実施形態では、パソコン３及び携帯端末４間での赤外線データ通信の起動を、パソコン３側が行うものを示したが、利用者が携帯端末４に起動操作することにより、パソコン３及び携帯端末４間での赤外線データ通信の起動を携帯端末４側が行うようにしても良い。
【００６２】
さらに、上記実施形態では、パソコン３への赤外線通信用プログラムの提供を、Ｗｅｂページと共に行う場合を示したが、Ｗｅｂサーバ２から、携帯端末４への所定の情報を与える際に併せて、パソコン３へ赤外線通信用プログラムを提供するようにしても良い。また、上述したように、Ｗｅｂページの取り出し時と無関係なタイミングでパソコン３へ赤外線通信用プログラムを提供するようにしても良い。
【００６３】
さらにまた、上記実施形態では、パソコン３及び携帯端末４間の近距離無線通信方法が赤外線通信方法であるものを示したが、ブルーツゥース（登録商標）などの他の近距離無線通信方法を適用しても良い。
【００６４】
また、上記実施形態では、インターネットを利用した通信システムを示したが、他のネットワークに関して本発明を適用することができる。要は、情報管理サーバ（実施形態でのＷｅｂサーバが相当）と情報処理装置（実施形態でのパソコン）とを通信リソースとするネットワークであれば良く、ＬＡＮやＷＡＮやＦＡＮなどであっても良い。
【００６５】
【発明の効果】
以上のように、本発明の情報処理装置及び通信システムによれば、情報管理サーバや携帯端末の情報を、他方に対し、情報処理装置経由でリアルタイムに転送することができる。
【図面の簡単な説明】
【図１】実施形態の通信システムの全体構成を示すブロック図である。
【図２】実施形態のパソコンの機能ブロック図である。
【図３】実施形態の携帯端末の機能ブロック図である。
【図４】実施形態のパソコンの赤外線通信部の設置位置例の説明図である。
【図５】実施形態のＷｅｂサーバから携帯端末への情報転送動作を示すシーケンス図である。
【図６】実施形態の携帯端末からＷｅｂサーバへの情報転送動作を示すシーケンス図である。
【符号の説明】
１…通信システム、２…Ｗｅｂサーバ、３…パソコン、４…携帯端末、５…インターネット、１５、３９…赤外線通信部、２０、４０…通信制御部、２１、４１…変復調・デジタル処理部、２２、４２…発光駆動部、２３、４３…赤外線発光素子、２４、４４…赤外線受光素子、２５、４５…受光信号処理部。
【図１】
2004153389.tif 000003
【図２】
2004153389.tif 000004
【図３】
2004153389.tif 000005
【図４】
2004153389.tif 000006
【図５】
2004153389.tif 000007
【図６】
2004153389.tif 000008